【手続補正書】
【提出日】平成15年5月19日(2003.5.19)
【手続補正１】
【補正対象書類名】明細書
【補正対象項目名】特許請求の範囲
【補正方法】変更
【補正の内容】
【特許請求の範囲】
【請求項１】
取引リクエストを管理／追跡するウェブベースシステム（１０）であって、
ブラウザを備えるクライアントシステム（１４）と、
トレーニング情報を記録するデータ記憶装置（３４）と、
前記クライアントシステムに接続されるように構成されたサーバシステム（１２）であって、
クライアントシステムから取引リクエストに関する情報を受け取り（１０７０）、
前記取引リクエスト情報を中央集中化データベースに記憶し（１１５８）、
前記取引リクエスト情報を整備するために前記中央集中化データベースを定期的に更新し（１１３０）、
問合せに応じて最新の取引リクエスト情報を提供する（１１００）ようにさらに構成された、当該サーバシステムを備える、ウェブベースシステム。
【請求項２】
前記クライアントシステム（１４）は、
様々なオプションをユーザに表示する表示コンポーネント（６８）と、
前記サーバシステムに問合せを送ることによって、前記サーバシステムが、リクエストされた情報を処理して前記クライアントシステムにダウンロードできるようにする送信コンポーネントを備えるようにさらに構成される、請求項１のシステム（１０）。
【請求項３】
前記サーバシステム（１２）は、
ユーザからの取引リクエスト情報を前記中央集中化データベース（２０）に収集する収集コンポーネント（６４）と、
稼動中に前記取引リクエスト情報を追跡する追跡コンポーネント（６６）と、
前記取引リクエスト情報を表示する表示コンポーネント（８４）と、
為替取引（１７０）と決済／ロールオーバ取引（１７４）とスポット／フォワード取引（１８０）とスワップ取引（１８４）とオプション取引（１９０）のうちの少なくとも１つに関する問合せを前記クライアントシステムから受けとる受信コンポーネント（７０）と、
前記中央集中化データベースをアクセスして前記クライアントシステム（１４）で前記検索された取引リクエスト情報を表示させるアクセスコンポーネント（７２）を備えるようにさらに構成される、請求項１のシステム（１０）。
【請求項４】
前記サーバシステム（１２）は、情報を提供するために複数のユーザの１つから問合せを受けとる受信コンポーネント（７０）を備えるようにさらに構成される、請求項３のシステム（１０）。
【請求項５】
前記サーバシステム（１２）は、受けとられた問い合せに関して、前記収集コンポーネント（６４）によって収集された様々な情報が格納されているデータ記憶装置（３４）を探索して処理する処理コンポーネント（７６）を備えるようにさらに構成される、請求項３のシステム（１０）。
【請求項６】
前記サーバシステム（１２）は、前記データ記憶装置（３４）から前記取引リクエスト情報を検索する検索コンポーネント（８０）を備えるようにさらに構成される、請求項３のシステム（１０）。
【請求項７】
前記サーバシステム（１２）は、前記データ記憶装置（３４）の検索後に、前記受信コンポーネント（７０）が受けとったリクエストの順番に複数のユーザに前記リクエストされた情報をダウンロードする情報遂行コンポーネント（７８）を備えるようにさらに構成される、請求項３のシステム（１０）。
【請求項８】
前記サーバシステム（１２）は、取引の履行日（３１０）と、売買（３１２）と、取引額（３１４）と、取引通貨（３１６）と、アゲインスト通貨（３１８）と、ヘッジ満期日（３２０）と、ストップロスレベル（３３０）と、獲得利益レベル（３３２）と、取引有効期限日（３４０）と、プロジェクト名（３４２）と、取引債務残高の種類（３４４）と、カスタマ名（３４６）と、サプライヤ名（３４８）と、ファンドタイプ（３５０）と、ドロップダウンウィンドウから示される会社間取引（３５４）の返答と、法人会計承認３６０の識別子と、コピー数（３６４）のうち少なくとも１つを含む為替取引（１７０）に関する情報を受けとるようにさらに構成される、請求項１のシステム（１０）。
【請求項９】
前記サーバシステム（１２）は、契約番号（３９２）と、売買（３９４）と、取引通貨（３９６）と、アゲインスト通貨（３９８）と、補償タイプ（４００）と、額（４０２）と、ノート（４０４）と、ロールオーバ額（４０８）と、ロールオーバ日（４１０）と、オプションタイプ（４１２）と、ドロップダウンウィンドウから示される会社間取引（４２０）の返答と、法人会計承認（４２４）の識別子と、コピー数（４３０）のうち少なくとも１つを含む決済／ロールオーバ取引（１７４）に関する情報を受けとるようにさらに構成される、請求項１のシステム（１０）。
【請求項１０】
前記サーバシステム（１２）は、取引の履行日（４６０）と、売買（４６２）と、取引額（４６４）と、取引通貨（４６６）と、アゲインスト通貨（４６８）と、ヘッジ満期日（４７０）と、プロジェクト名（４８２）と、取引債務残高の種類（４８４）と、カスタマ名（４８６）と、サプライヤ名（４８８）と、ファンドタイプ（４９０）と、是認者名（４９２）と、是認者パスワード（４９４）と、支払詳細（４９６）と、支払銀行名（５１０）とその完全な住所（５１２）と、仲介銀行名（５１４）とその完全な住所（５１８）と、仲介銀行スウィフトコード（５２０）と、全米銀行協会番号（５２２）と口座番号（５２４）と、スウィフトコードとＡＢＡ番号と口座番号と追跡のための回線番号（５４０）と支払サプライヤ名（５４２）とその住所（５４４）を含む銀行に関する全ての関連情報（５３０）を含むことができる仲介銀行２に関するさらに別の情報と、ドロップダウンウィンドウから示される会社間取引（５５０）の返答と、法人会計承認（５５６）の識別子と、コピー数（５６０）のうちの少なくとも１つを含むスポット／フォワード取引（１８０）に関する情報を受けとるようにさらに構成される、請求項１のシステム（１０）。
【請求項１１】
前記サーバシステム（１２）は、取引の履行日（６００）と、売買（６０２）と、取引額（６０４）と、取引通貨（６０６）と、アゲインスト通貨（６０８）と、ヘッジ満期日（６１０）と、高取引額（６２４）と、高ヘッジ満期日（６３０）と、プロジェクト名（６１２）と、取引債務残高の種類（６１４）と、カスタマ名（６１６）と、サプライヤ名（６１８）と、ファンドタイプ（６２０）と、ドロップダウンウィンドウから示される会社間取引（６３８）の返答と、法人会計承認（６４６）の識別子と、コピー数（６５０）のうち少なくとも１つを含む（スワップ取引）（１８４）に関する情報を受けとるようにさらに構成される、請求項１のシステム（１０）。
【請求項１２】
前記サーバシステム（１２）は、取引の履行日と、売買と、取引額と、取引通貨と、アゲインスト通貨と、保険料通貨と、ヘッジタイプと、満期日と、価格ノートと、行使価格と、プロジェクト名と、取引債務残高の種類と、カスタマ名と、サプライヤ名と、ファンドタイプと、ドロップダウンウィンドウから示される会社間取引の返答と、法人会計承認の識別子と、コピー数のうち少なくとも１つを含むオプション取引（１９０）に関する情報を受けとるようにさらに構成される、請求項１のシステム（１０）。
【請求項１３】
前記サーバシステム（１２）は、前記クライアントシステム（１４）から直接オンラインで情報を受けとるようにさらに構成される、請求項１のシステム（１０）。
【請求項１４】
前記サーバシステム（１２）は、前記取引リクエストに関する情報を入力するための所定の形式で情報を受けとる（１０７０）ようにさらに構成される、請求項１のシステム（１０）。
【請求項１５】
前記サーバシステム（１２）は、情報検索を容易にするために、前記情報をデータベースの様々なセクションに編成するようにさらに構成される、請求項１のシステム（１０）。
【請求項１６】
前記サーバシステム（１２）は、ユーザ情報セクション（９０）と、前記取引のタイプによりさらに細分化される取引情報セクション（９６）と、管理情報セクション（９４）のうちの少なくとも１つに情報を編成するようにさらに構成される、請求項１５のシステム（１０）。
【請求項１７】
前記サーバシステム（１２）は、前記取引リクエストに関わるより詳細な情報を追跡して獲得するために取引セクション（９６）の下で情報を編成するようにさらに構成される、請求項１５のシステム（１０）。
【請求項１８】
前記サーバシステム（１２）は、前記取引リクエストを出した者と場所に関する詳細情報を追跡するために情報を編成するようにさらに構成される、請求項１５のシステム（１０）。
【請求項１９】
前記サーバシステム（１２）は、前記取引リクエスト処理に関わる主な内部／外部関係者が関与したことをとらえるために情報を編成するようにさらに構成される、請求項１５のシステム（１０）。
【請求項２０】
前記サーバシステム（１２）は、履歴編集セクションの下で情報を編成するようにさらに構成される、請求項１５のシステム（１０）。
【請求項２１】
前記サーバシステム（１２）は、ユニークな識別子に対して取引リクエスト情報を記憶するようにさらに構成される、請求項１のシステム（１０）。
【請求項２２】
前記サーバシステム（１２）は、取引の履行日と、売買と、取引額と、取引通貨と、アゲインスト通貨と、ヘッジ満期日と、プロジェクト名と、取引債務残高の種類）と、カスタマ名と、サプライヤ名と、ファンドタイプと、是認者名と、是認者パスワードと、支払詳細と、支払銀行名と、その完全な住所と、仲介銀行名と、その完全な住所と、仲介銀行スウィフトコードと、全米銀行協会番号と、口座番号と、スウィフトコードとＡＢＡ番号と口座番号と追跡のための回線番号と支払サプライヤ名とその住所を含む銀行に関する全ての関連情報を含むことができる仲介銀行２に関するさらに別な情報と、ドロップダウンウィンドウから示される会社間取引の返答と、法人会計承認の識別子と、コピー数のうちの少なくとも１つを記憶するようにさらに構成される、請求項１のシステム（１０）。
【請求項２３】
前記サーバシステム（１２）は、所定の形成で情報を記憶するようにさらに構成される、請求項１のシステム（１０）。
【請求項２４】
前記サーバシステム（１２）は、ユーザ情報セクション（９０）と、前記取引のタイプによりさらに細分化される取引情報セクション（９６）と、管理情報セクション（９４）のうちの少なくとも１つに情報を記憶するようにさらに構成される、請求項１のシステム（１０）。
【請求項２５】
前記サーバシステム（１２）は、
情報をリアルタイムで追跡し、
情報をリアルタイムで記憶し前記情報を前記中央集中化データベース（２０）にリアルタイムで新規追加することによって記憶された情報を更新して、リクエスト時に最新の情報を前記ユーザに瞬時に提供するようにさらに構成される、請求項１のシステム（１０）。
【請求項２６】
前記サーバシステム（１２）は、
前記取引リクエスト情報を追加したり削除し、
前記取引リクエスト情報を編集するようにさらに構成される、請求項１のシステム（１０）。
【請求項２７】
前記サーバシステム（１２）は、前記取引リクエスト情報をオンライン入力するようにさらに構成される、請求項１のシステム（１０）。
【請求項２８】
前記サーバシステム（１２）は、問合せに応じて前記取引リクエスト情報を提供する（１１００）ようにさらに構成され、
サーバシステムからリクエストされた情報をダウンロードする（１０９２）工程と、
前記問合せに応じてクライアントシステム（１４）に前記リクエストされた情報を表示する（１１１０）工程をさらに備える、請求項１のシステム（１０）。
【請求項２９】
前記サーバシステム（１２）は、所定の形式でリクエストされた情報を印刷する（１１１２）ようにさらに構成される、請求項１のシステム（１０）。
【請求項３０】
前記サーバシステム（１２）は、ユーザからの問合せを受けとるようにさらに構成される、請求項１のシステム（１０）。
【請求項３１】
前記サーバシステム（１２）は、
前記クライアントシステム（１４）に情報を表示して（１１１０）様々なオプションを特定し、
前記表示された全オプションうちの少なくとも１つのオプションに関する問合せを前記クライアントシステムから受けとる（１０７０）ようにさらに構成される、請求項１のシステム（１０）。
【請求項３２】
前記サーバシステム（１４）は、
前記中央集中化データベース（２０）をアクセスし（１０８０）、
前記特定の問合せに関して前記データベースを探索し、
前記データベースから情報を検索し（１０９０）、
前記クライアントシステム（１４）で表示する（１１１０）ために前記検索された情報を前記クライアントシステムへ送るようにさらに構成される、請求項２８のシステム（１０）。
【請求項３３】
前記サーバシステム（１２）は、ユーザマニュアルを前記サーバシステムからダウンロード（１０９２）し、マイクロソフトワード（Ｍｉｃｒｏｓｏｆｔ  Ｗｏｒｄ）形式で前記ダウンロードされたマニュアルをプリンタで印刷する（１１１２）ようにさらに構成される、請求項２８のシステム（１０）。
【請求項３４】
前記サーバシステム（１２）は、前記ユーザマニュアルをダウンロード（１０９２）し前記クライアントシステム（１４）に表示するにさらに構成される、請求項２８のシステム（１０）。
【請求項３５】
前記サーバシステム（１２）は、取引リクエストのタイプに基づく情報を印刷する（１１１２）ようにさらに構成される、請求項２９のシステム（１０）。
【請求項３６】
前記クライアントシステム（１４）と前記サーバシステム（１２）はネットワークを介して接続され、前記ネットワークは広域ネットワーク（５０）とローカルエリアネットワーク（３６）とイントラネットとインターネット（４８）のうちの１つである、請求項１のシステム（１０）。
【請求項３７】
前記サーバシステム（１２）は、
前記取引リクエストを電子的にリビューし、
様々な意思決定者と同時にやりとりし、
前記取引リクエストを遠隔承認し、
実施段階の承認に基づいて前記取引リクエストを追跡するようにさらに構成される、請求項１のシステム（１０）。
【請求項３８】
前記サーバシステム（１２）は、
前記取引リクエストを少なくとも承認か否認し、
前記取引リクエストが承認された場合、前記取引リクエストの資金調達を許可するようにさらに構成される、請求項１のシステム（１０）。